(57)【要約】  デプスフィルタは、筒状の第一フィルタ層と、筒状であって、第一フィルタ層の内側に配置され、目の粗さが第一フィルタ層と同じかそれより小さい第二フィルタ層と、前記第一フィルタ層と前記第二フィルタ層との間に配置される空間層と、を備え、前記空間層は、その空間層の表裏の間の流体抵抗がほぼゼロである。
2019163123.tif 000002
【特許請求の範囲】
【請求項１】
筒状の第一フィルタ層と、
筒状であって、第一フィルタ層の内側に配置され、目の粗さが第一フィルタ層と同じかそれより小さい第二フィルタ層と、
前記第一フィルタ層と前記第二フィルタ層との間に配置される空間層と、を備え、
前記空間層は、その空間層の表裏の間の流体抵抗がほぼゼロであるデプスフィルタ。
【請求項２】
請求項１に記載のデプスフィルタであって、
前記空間層は、不織布であるデプスフィルタ。
【請求項３】
請求項１に記載のデプスフィルタであって、
前記空間層は所定の間隔の隙間であるデプスフィルタ。
【請求項４】
請求項１から３のいずれか一項に記載のデプスフィルタであって、
前記第一フィルタ層の半径方向外側に、筒状であって一層以上のフィルタ層を有し、
前記第一フィルタ層と前記一層以上のフィルタ層とは、半径方向の外側から内側に向かって、目の粗さが同じであるか、または小さくなっているデプスフィルタ。
【請求項５】
請求項４に記載のデプスフィルタであって、
前記一層以上のフィルタ層の最内層と前記第一フィルタ層との間に空間層を有し、
前記一層以上のフィルタ層の中の各フィルタ層の間には空間層を有しているデプスフィルタ。
【請求項６】
請求項４に記載のデプスフィルタであって、
前記一層以上のフィルタ層の最外層の半径方向外側に、さらに前記最外層の目の粗さと同じであるか、またはそれより大きい第三フィルタ層を備え、
前記最外層と前記第三フィルタ層との間に空間層を有しているデプスフィルタ。
【請求項７】
請求項６に記載のデプスフィルタであって、
前記第二フィルタ層の半径方向内側に一層以上のフィルタ層を有し、前記第二フィルタ層と前記一層以上のフィルタ層とは、半径方向の外側から内側に向かって、目の粗さが同じであるか、または小さくなっているデプスフィルタ。
【請求項８】
筒状の第一フィルタ層と、
筒状であって、第一フィルタ層の内側に配置され、目の粗さが第一フィルタ層と同じかそれより小さい第二フィルタ層と、
前記第一フィルタ層と前記第二フィルタ層との間に配置される空間層と、を備えるデプスフィルタが内部に配置され、フィルタハウジングに脱着可能なフィルタカバーと、を備えるフィルタカートリッジであって、
前記空間層は、その空間層の表裏の間の流体抵抗がほぼゼロであるフィルタカートリッジ。
【請求項９】
請求項８に記載のフィルタカートリッジであって、
前記空間層は、不織布であるフィルタカートリッジ。
【請求項１０】
請求項８に記載のフィルタカートリッジであって、
前記空間層は所定の間隔の隙間であるフィルタカートリッジ。
【請求項１１】
請求項８から１０のいずれか一項に記載のフィルタカートリッジであって、
前記第一フィルタ層の半径方向外側に筒状であって一層以上のフィルタ層を有し、
前記第一フィルタ層と前記一層以上のフィルタ層とは、半径方向の外側から内側に向かって、目の粗さが同じであるか、または小さくなっているフィルタカートリッジ。
【請求項１２】
請求項１１に記載のフィルタカートリッジであって、
前記一層以上のフィルタ層の最内層と前記第一フィルタ層との間に空間層を有し、
前記一層以上のフィルタ層の中の各フィルタ層の間には空間層を有しているフィルタカートリッジ。
【請求項１３】
請求項１１に記載のフィルタカートリッジであって、
前記一層以上のフィルタ層の最外層の半径方向外側に、さらに前記最外層の目の粗さと同じであるか、またはそれより大きい第三フィルタ層を備え、
前記最外層と前記第三フィルタ層との間に空間層を有しているフィルタカートリッジ。
【請求項１４】
請求項１３に記載のフィルタカートリッジであって、
前記第二フィルタ層の半径方向内側に筒状の一層以上のフィルタ層を有し、前記第二フィルタ層と前記一層以上のフィルタ層とは、半径方向の外側から内側に向かって、目の粗さが同じであるか、または小さくなっているフィルタカートリッジ。
【発明の詳細な説明】
【技術分野】
【０００１】
この発明は、デプスフィルタおよびそれを有するフィルタカートリッジに関する。
【背景技術】
【０００２】
デプスフィルタでは、所定の期間、濾過対象となる流体に含まれる予定される大きさの粒子を捕捉することが求められる。したがって、使用時間の経過により、捕捉した粒子がフィルタ素材に蓄積することにより、デプスフィルタを通過する流体の流れの圧力損失は高くなっていく。そのため、その流体の流れを確保するために、圧力損失に応じて、流体の全圧を高める必要があり、デプスフィルタの使用においては経時的に全圧は上昇する。【０００３】
図８および図９を参照して、従来のデプスフィルタ３１について説明する。一般に、デプスフィルタ３１はフィルタハウジング２０内に格納されている。図８は、フィルタハウジング２０とフィルタカートリッジを示した図である。図９は図８の断面Ｙ−Ｙを示している。フィルタハウジング２０は、流路入口２１と流路出口２２とを有している。フィルタハウジング２０の流路入口２１は、濾過すべき流体の流れを促すポンプ（不図示）に接合されていて、そのポンプにより濾過すべき流体がフィルタハウジング２０内に導入される。デプスフィルタ３１は、たとえば樹脂でできたフィルタカバー３２の中に脱着可能に収納されてフィルタカートリッジとして機能する。フィルタハウジング２０内に導入された流体は、デプスフィルタ３１の外周面を経て、デプスフィルタ３１の一次側であるフィルタカバー３２の外周面からデプスフィルタ３１を通過してデプスフィルタ３１の二次側であるフィルタの中心流路３３へと流れ出る。デプスフィルタ３１のフィルタの中心流路３３へ流れ出た流体は流路出口２２から外に排出される。【０００４】
デプスフィルタ３１は、不純物である粒子を捕捉するための一以上の筒状のフィルタ層３４でできている。流体は、代表的には、筒状のフィルタ層３４の半径方向の外側から内側にむけて流れる。図９の例では、一次側（流れの上流）の第一フィルタ層３４ａの内側に二次側（流れの下流）の第二フィルタ層３４ｂが接するように配置される二層のフィルタ層３４のデプスフィルタ３１の例を示している。フィルタ層３４の各フィルタ層の目の粗さは、隣り合う一次側にあるフィルタ層と二次側にあるフィルタ層との間で、フィルタ層の目は同じ、または二次側のフィルタ層のほうが一次側のフィルタ層より細かいように設定されている。すなわち、図９のデプスフィルタ３１の場合には、第一フィルタ層３４ａと第二フィルタ層３４ｂとの目の粗さは同じか、第二フィルタ層３４ｂのほうが第一フィルタ層３４ａよりも目が細かいように設定される。フィルタ層３４の素材として、不織布を選定したデプスフィルタ３１では、この全圧上昇の影響を受けやすく、せっかくフィルタ層３４で捕捉した粒子も、全圧が上昇することでフィルタ層３４の二次側に押し流されてしまい捕捉精度が低下する。
【発明の概要】
【発明が解決しようとする課題】
【０００５】
デプスフィルタ３１における全圧の上昇の態様としては、定常運転時においては、流体の流れを促すポンプ固有の脈動に伴う圧力上昇と、デプスフィルタ３１のフィルタ層３４における目詰まり等の経時的に生じる圧力損失を補うための圧力上昇である。また、非定常運転時における全圧の上昇の原因としては、流体の流量調節時、または流体ラインの起動時におけるポンプの二次側圧力の上昇である。従来のデプスフィルタ３１では、これらの場合の圧力上昇が、そのままデプスフィルタ３１内における直接的な圧力上昇につながり、捕捉精度の低下につながった。
【課題を解決するための手段】
【０００６】
本発明の一の態様は、筒状の第一フィルタ層と、筒状であって、第一フィルタ層の内側に配置され、目の粗さが第一フィルタ層と同じかそれより小さい第二フィルタ層と、前記第一フィルタ層と前記第二フィルタ層との間に配置される空間層と、を備え、前記空間層は、その空間層の表裏の間の流体抵抗がほぼゼロであるデプスフィルタである。【０００７】
本発明の他の態様は、筒状の第一フィルタ層と、筒状であって、第一フィルタ層の内側に配置され、目の粗さが第一フィルタ層と同じかそれより小さい第二フィルタ層と、前記第一フィルタ層と前記第二フィルタ層との間に配置される空間層と、を備えるデプスフィルタが内部に配置されるフィルタカバーと、を備えるフィルタカートリッジであって、前記空間層は、その空間層の表裏の間の流体抵抗がほぼゼロであるフィルタカートリッジである。
【発明の効果】
【０００８】
これにより、圧力上昇時におけるデプスフィルタでの圧力の影響を低下させて、捕捉精度を維持することができる。
【図面の簡単な説明】
【０００９】
【図１】本発明のフィルタカートリッジの外観図である。
【図２】図１の断面Ｘ−Ｘの箇所における本発明のデプスフィルタの層構成を示す断面図であって、実施の形態１を示した図である。
【図３】図１の断面Ｘ−Ｘの箇所における本発明のデプスフィルタの層構成を示す断面図であって、実施の形態２を示した図である。
【図４】図１の断面Ｘ−Ｘの箇所における本発明のデプスフィルタの層構成を示す断面図であって、実施の形態３を示した図である。
【図５】図１の断面Ｘ−Ｘの箇所における本発明のデプスフィルタの層構成を示す断面図であって、実施の形態４を示した図である。
【図６】図１の断面Ｘ−Ｘの箇所における本発明のデプスフィルタの層構成を示す断面図であって、実施の形態５を示した図である。
【図７】実施の形態５のうち、フィルタ数を３層とした例を示した図である。
【図８】従来のフィルタカートリッジの外観図である。
【図９】図８の断面Ｙ−Ｙの箇所における従来のデプスフィルタの層構成を示す断面図である。
【発明を実施するための形態】
【００１０】
（実施の形態１）
以下、図１および図２を参照して、本発明の実施の形態１のデプスフィルタ１と、それを備えるフィルタカートリッジについて説明する。図１は、デプスフィルタ１を内部に有するフィルタカートリッジを示している。図２は、図１の断面Ｘ−Ｘにおけるデプスフィルタ１の各層の構成を示した断面図である。
【００１１】
フィルタカートリッジは、フィルタカバー３２と、その内部に配置されるデプスフィルタ１とを備える。フィルタカートリッジはフィルタハウジング２０内に脱着可能に収納されて使用される。フィルタハウジング２０は、流路入口２１と流路出口２２とを有している。フィルタハウジング２０の流路入口２１は、濾過すべき流体の流れを促すポンプ（不図示）に接合されていて、そのポンプにより濾過すべき流体がフィルタハウジング２０内に導入される。導入された流体は、デプスフィルタ１の外周面を経て、デプスフィルタ１の一次側（流れの上流）である外周面からデプスフィルタ１を通過してフィルタの二次側（流れの下流）であるフィルタの中心流路３３へと流れ出る。フィルタの中心流路３３へ流れ出た流体は流路出口２２から外に排出される。流体は、代表的には、筒状のフィルタ層３４の半径方向の外側から内側にむけて流れる。
【００１２】
デプスフィルタ１は、不純物である粒子を捕捉するための複数の筒状のフィルタ層３４でできている。実施の形態１では、図２の例では、一次側の筒状のフィルタ層３４ａ（第一フィルタ層）と、フィルタ層３４の筒状の半径方向に第一フィルタ層３４ａの内側に配置される二次側の筒状の第二フィルタ層３４ｂとからなる二層のフィルタ層３４のデプスフィルタ１の例を示している。各フィルタ層の目の粗さは、フィルタ層３４の筒状の半径方向に沿って互いに隣に配置される一次側の第一フィルタ層３４ａと二次側の第二フィルタ層３４ｂとの間において、フィルタ層の目の粗さは同じ、または二次側の第二フィルタ層３４ｂのほうが一次側の第一フィルタ層３４ａより細かいように設定されている。すなわち、図２のデプスフィルタ１の場合には、第一フィルタ層３４ａと第二フィルタ層３４ｂとの目の粗さは同じか、第二フィルタ層３４ｂのほうが第一フィルタ層３４ａよりも目が細かくなるように設定される。これらの目の大きさの選択は、デプスフィルタ１の設計に応じて選択できる。代表的には、一次側の第一フィルタ層３４ａは大きい粒子の捕捉と整流の効果を目的として設定し、二次側の第二フィルタ層３４ｂは小さい粒子の捕捉を目的として設定される。第一フィルタ層３４ａの外側は流体の流入面となり、流路入口２１につながる。第二フィルタ層３４ｂの内側は流体の排出流路となり、流路出口２２につながる。
【００１３】
一次側のフィルタ層である第一フィルタ層３４ａと二次側のフィルタ層である第二フィルタ層３４ｂとの間には、空間層３５を備えている。空間層３５は、たとえば、第一フィルタ層３４ａと第二フィルタ層３４ｂとの間に、スペーサ（不図示）等で所定の距離を確保され、所定の体積を有するように形成される隙間とすることができる。空間層３５は隙間であるので、空間層３５の表裏間の流体抵抗がゼロ、すなわち無い。
【００１４】
または、空間層３５を、空間層３５の表裏間の流体抵抗が生じない繊維、すなわち繊維の表裏間の流体抵抗がほぼゼロである繊維で形成させる層とすることもできる。たとえば、目が粗く大きく表裏を連通する空隙が多く、その空隙の表裏間の断面積が大きい不織布として形成させることができる。ここで、流体抵抗が生じないとは、繊維の中に存在する空隙が大きく、その繊維内に流体を流した際にその空隙の中を流体が流れ、その際の流れの抵抗が生じないほど、という意味である。空間層３５の繊維層は流体抵抗を生じない、かつ体積変動を起こしにくいスペーサとしての役目を果たす。これにより、第一フィルタ層３４ａと第二フィルタ層３４ｂとの間に、所定の体積が確保された空間層３５とが形成される。
【００１５】
続いて、空間層３５を配置する効果について説明する。空間層３５は、流体の流れを促すポンプ固有の脈動に伴う圧力上昇を伴う圧力変動が生じたときに、その圧力変動を低減させるバッファとなる。すなわち、ポンプ固有の圧力変動を入力信号としたときに、空間層３５が信号フィルタとして機能して、第一フィルタ層３４ａにかかった圧力変動を空間層３５で減衰させる効果が生じる。これにつき、第一フィルタ層３４ａに圧力センサを配置し、第二フィルタ層３４ｂに別の圧力センサを配置してみると、第一フィルタ層３４ａに配置した圧力センサでの検出圧力が一次側圧力１２７．５キロパスカル±４．５キロパスカルのときに、第二フィルタ層３４ｂに配置された圧力センサの検出圧力は８５．５キロパスカル±０．２５キロパスカルであった。この結果のとおり、空間層３５があることにより、圧力変動幅が±４．５キロパスカルから±０．２５キロパスカルと、変動幅が５．６パーセント程度に収まり、９４パーセントの変動幅の低減がみられた。この圧力の変動量の減衰量は、空間層３５の厚さ（間隔）を調整すること、すなわち空間層３５の体積を調整することで、調整することが可能である。
【００１６】
（実施の形態２）
続いて、図１および図３を参照して、本発明の実施の形態２のデプスフィルタ１と、それを備えるフィルタカートリッジについて説明する。図３は、図１の断面Ｘ−Ｘにおけるデプスフィルタ２の各層の構成を示した断面図である。ここでは、図１のデプスフィルタ１を、この実施の形態２のデプスフィルタ２に置き換えるものである。この実施の形態でも、フィルタカートリッジは、フィルタカバー３２と、その内部に配置されるデプスフィルタ２とを備える。フィルタカートリッジはフィルタハウジング２０内に収納されて使用される点で同じである。以下、実施の形態と異なる部分について説明する。
【００１７】
実施の形態２では、実施の形態１の第一フィルタ層３４ａの筒状形状の断面の半径方向の外側に、筒状であって一層以上のフィルタ層３４ｃをさらに有している点が実施の形態１と異なっている。その一層以上のフィルタ層３４ｃは、それぞれの筒状形状の断面の半径方向に沿って接するように配置される。フィルタ層３４ｃを構成する層の数は一以上であれば、その数には限られない。このとき、第一フィルタ層３４ａと第二フィルタ層３４ｂの目の粗さの関係は実施の形態１の場合と同じである。さらに、フィルタ層３４ｃを構成するフィルタ層の目の粗さは、それらの筒状形状の断面の半径方向の外側から内側に向かって、隣り合うフィルタ層の目の粗さが同じであるか、または小さくなっている。また、フィルタ層３４ｃの最内層と第一フィルタ層３４ａの粗さも、それらの筒状形状の断面の半径方向の外側から内側に向かって、隣り合うフィルタ層の目の粗さが同じであるか、または小さくなっている。すなわち、フィルタ層３４ｃの最外層から第二フィルタ層３４ｂに至るまで、それぞれの層の目の粗さは、それぞれの層の筒状形状の断面の半径方向の外側から内側に向かって、隣り合うフィルタ層の目の粗さが同じであるか、または小さくなる関係にある。
【００１８】
実施の形態２の空間層３５は、実施の形態１と同じく、第一フィルタ層３４ａと第二フィルタ層３４ｂとの間に配置されている。空間層３５の内部の構成は実施の形態１と同じである。したがって、空間層３５からみれば、筒状であって一層以上のフィルタ層３４ｃと第一フィルタ層３４ａとは一体のフィルタ層と同じ構成となるので、実施の形態１と同様に、フィルタ層３４ｃの最外層にかかった圧力の脈動が空間層３５により減衰する効果を奏する。実施の形態１と同様に、空間層３５における圧力の脈動変動の減衰量は、空間層３５の体積を調整することで、調整することが可能である。
【００１９】
（実施の形態３）
続いて、図１および図４を参照して、本発明の実施の形態３のデプスフィルタ３と、それを備えるフィルタカートリッジについて説明する。図４は、図１の断面Ｘ−Ｘにおけるデプスフィルタ３の各層の構成を示した断面図である。図１のデプスフィルタ１を、この実施の形態３のデプスフィルタ３に置き換えるものである。この実施の形態でも、フィルタカートリッジは、フィルタカバー３２と、その内部に配置されるデプスフィルタ３とを備える。フィルタカートリッジはフィルタハウジング２０内に収納されて使用される点で同じである。以下、実施の形態と異なる部分について説明する。
【００２０】
実施の形態２では、第一フィルタ層３４ａの筒状形状の断面の半径方向の外側に、筒状であって一層以上のフィルタ層３４ｃをさらに有していた。これに対し、実施の形態３では、第二フィルタ層３４ｂの筒状形状の断面の半径方向の内側に、筒状であって一層以上のフィルタ層３４ｄをさらに有している点が異なっている。一層以上のフィルタ層３４ｄは、それぞれの筒状形状の断面の半径方向に沿って接するように配置される点で実施の形態２と同じである。フィルタ層３４ｄを構成する層の数は一以上であれば、その数には限られない。また、第一フィルタ層３４ａと第二フィルタ層３４ｂの目の粗さの関係は実施の形態１の場合と同じである上に、フィルタ層３４ｄを構成するフィルタ層の目の粗さは、それらの筒状形状の断面の半径方向の外側から内側に向かって、隣り合うフィルタ層の目の粗さが同じであるか、または小さくなっている。また、フィルタ層３４ｄの最外層と第二フィルタ層３４ｂの粗さも、それらの筒状形状の断面の半径方向の外側から内側に向かって、隣り合うフィルタ層の目の粗さが同じであるか、または小さくなっている。すなわち、第二フィルタ層３４ｂから、フィルタ層３４ｄの最内層に至るまで、それぞれの層の目の粗さは、それぞれの層の筒状形状の断面の半径方向の外側から内側に向かって、隣り合うフィルタ層の目の粗さが同じであるか、または小さくなる関係にある。
【００２１】
実施の形態３の空間層３５は、実施の形態１および実施の形態２と同じく、第一フィルタ層３４ａと第二フィルタ層３４ｂとの間に配置されている。空間層３５の内部の構成は実施の形態１および実施の形態２と同じである。したがって、空間層３５からみれば、第二フィルタ層３４ｂとフィルタ層３４ｄとは一体のフィルタ層と同じ構成となるので、実施の形態１および実施の形態２と同様に、第一フィルタ層３４ａにかかった圧力の脈動が空間層３５により減衰する効果を奏する。実施の形態１および実施の形態２と同様に、空間層３５における圧力の脈動変動の減衰量は、空間層３５の体積を調整することで、調整することが可能である。
【００２２】
（実施の形態４）
続いて、図１および図５を参照して、本発明の実施の形態４のデプスフィルタ４と、それを備えるフィルタカートリッジについて説明する。図５は、図１の断面Ｘ−Ｘにおけるデプスフィルタ４の各層の構成を示した断面図である。この実施の形態でも、フィルタカートリッジは、フィルタカバー３２と、その内部に配置されるデプスフィルタ４とを備える。フィルタカートリッジはフィルタハウジング２０内に収納されて使用される点で同じである。以下、実施の形態と異なる部分について説明する。
【００２３】
実施の形態２では、第一フィルタ層３４ａの筒状形状の断面の半径方向の外側に、筒状であって一層以上のフィルタ層３４ｃをさらに有していた。実施の形態４では、一層以上のフィルタ層３４ｃの最外層のさらに外側に、第三フィルタ層３４ｅを配置している点が異なっている。そして、フィルタ層３４ｃの最外層と第三フィルタ層３４ｅとの間には、空間層３６が配置される。フィルタ層３４の最外層である第三フィルタ層３４ｅから、フィルタ層３４ｃおよび第一フィルタ層３４ａを介して、フィルタ層３４の最内層である第二フィルタ層３４ｂに至るまでのそれぞれの層の目の粗さは、それぞれの層の筒状形状の断面の半径方向の外側から内側に向かって、隣り合うフィルタ層の目の粗さが同じであるか、または小さくなる関係にある。
【００２４】
実施の形態４の空間層３５および空間層３６の内部の構成は実施の形態１と同じであり、空間層３６は空間層３５と同様に、第三フィルタ層３４ｅにかかった全圧の脈動が空間層３６により減衰する効果を奏する。また、空間層３６で減衰され、フィルタ層３４ｃおよび第一フィルタ層３４ａを介して伝わった圧力の脈動の変動量が、下流の空間層３５において、さらに減衰する効果を奏する。また、実施の形態１から実施の形態３までと同様に、空間層３５および空間層３６における圧力の脈動変動の減衰量は、空間層３５および空間層３６の体積を調整することで、調整することが可能である。
【００２５】
（実施の形態５）
続いて、図１および図６を参照して、本発明の実施の形態５のデプスフィルタ５と、それを備えるフィルタカートリッジについて説明する。図６は、図１の断面Ｘ−Ｘにおけるデプスフィルタ５の各層の構成を示した断面図である。この実施の形態でも、フィルタカートリッジは、フィルタカバー３２と、その内部に配置されるデプスフィルタ５とを備える。フィルタカートリッジはフィルタハウジング２０内に収納されて使用される点で同じである。以下、実施の形態２と異なる部分について説明する。
【００２６】
実施の形態５は、フィルタ層３４において、フィルタ層３４ｃを有している点で実施の形態２と同じであるが、フィルタ層３４ｃを構成する各フィルタ層の間に、空間層３７ａ，３７ｂ，３７ｃ，３７ｄをさらに有している点で実施の形態２と異なっている。空間層３５と空間層３７ａ，３７ｂ，３７ｃ，３７ｄの構成は実施の形態１の空間層３５と同じである。フィルタ層３４ｃを構成する層の数は一以上であれば、その数には限られない。空間層３７ａ，３７ｂ，３７ｃ，３７ｄの数は、フィルタ層３４ｃを構成する層の数に応じて変更可能である。第一フィルタ層３４ａと第二フィルタ層３４ｂと、フィルタ層３４ｃを構成するフィルタ層の目の粗さは、実施の形態２と同様に、それらの筒状形状の断面の半径方向の外側から内側に向かって、隣り合うフィルタ層の目の粗さが同じであるか、または小さくなっている。
【００２７】
実施の形態５の空間層３７ａ，３７ｂ，３７ｃ，３７ｄは、空間層３５と同じく、フィルタ層３４ｃの最外層にかかった全圧の脈動が空間層３７ａ，３７ｂ，３７ｃ，３７ｄおよび空間層３５により減衰する効果を奏する。また、実施の形態１から４と同様に、空間層３５および空間層３７ａ，３７ｂ，３７ｃ，３７ｄにおける圧力の脈動変動の減衰量は、空間層３５および空間層３７ａ，３７ｂ，３７ｃ，３７ｄの体積を調整することで、調整することが可能である。
【００２８】
これについて、フィルタ層３４ｃの数が一層である場合、すなわち、フィルタ層が全体で３層（最外層としてのフィルタ層３４ｃ，中間層としての第一フィルタ層３４ａ，最内層としての第二フィルタ層３４ｂ）からなる場合（図７）における圧力の減衰量についてみてみる。フィルタ層３４を構成する最外層としてのフィルタ層３４ｃにかかる全圧は７８．５キロパスカル±２．５キロパスカルのときに、中間部のフィルタ層３４ａにかかる圧力は７７．１キロパスカル±０．５キロパスカルであった。すなわち、脈動の変動量が８０パーセント減衰したこととなる。また、最内層である第二フィルタ層３４ｂにおける圧力は８５．８キロパスカル±０．１５キロパスカルであり、脈動の変動量はさらに７０パーセント減衰したこととなる。すなわち、デプスフィルタ５を構成する各層の間に、空間層３５，空間層３７ａ，３７ｂ，３７ｃ，３７ｄを配置することで、脈動の変動量を減衰させる効果が生じる。
【符号の説明】
【００２９】
１，２，３，４，５，３１  デプスフィルタ
２０  フィルタハウジング
３２  フィルタカバー
３３  中心流路
３４  フィルタ層
３４ａ  第一フィルタ層
３４ｂ  第二フィルタ層
３４ｃ，３４ｄ  一層以上のフィルタ層
３４ｅ  第三フィルタ層
３５，３６，３７  空間層
【図１】
2019163123.tif 000003
【図２】
2019163123.tif 000004
【図３】
2019163123.tif 000005
【図４】
2019163123.tif 000006
【図５】
2019163123.tif 000007
【図６】
2019163123.tif 000008
【図７】
2019163123.tif 000009
【図８】
2019163123.tif 000010
【図９】
2019163123.tif 000011
【国際調査報告】
2019163123.tif 000012
2019163123.tif 000013
2019163123.tif 000014
2019163123.tif 000015